(57)【要約】【課題】予約した希望曲の順番が来るまでの時間帯を利用して、インターネット上の各種のウエブページのＵＲＬを予約曲にリンク登録させ、予約曲が演奏される際に登録したＵＲＬに該当のウエブページをインターネットから取得して出力する。【解決手段】所定の利用者入力を受け付けた際、待ち行列に登録された演奏予約曲を一覧表示する手段と、一覧表示された演奏予約曲の中から演奏予約曲（ア）を特定するとともにＵＲＬ（イ）を特定する利用者入力を受け付けた際、待ち行列中の演奏予約曲（ア）の曲識別子にＵＲＬ（イ）を対応付けして登録する手段と、待ち行列に従って演奏予約曲（ア）を演奏する際、待ち行列中の演奏予約曲（ア）の曲識別子に対応づけされたＵＲＬ（イ）をインターネットに送信し、インターネットから受信するウエブページを画像出力する手段とを備える。【選択図】図４
2010204681.tif 000002
【特許請求の範囲】
【請求項１】
演奏予約の待ち行列に登録された曲識別子に従って演奏予約曲を順番に演奏するカラオケ装置であって、
所定の利用者入力を受け付けた際、待ち行列に登録された演奏予約曲を一覧表示する手段と、
一覧表示された演奏予約曲の中から演奏予約曲（ア）を特定するとともにＵＲＬ（イ）を特定する利用者入力を受け付けた際、待ち行列中の演奏予約曲（ア）の曲識別子にＵＲＬ（イ）を対応付けして登録する手段と、
待ち行列に従って演奏予約曲（ア）を演奏する際、待ち行列中の演奏予約曲（ア）の曲識別子に対応づけされたＵＲＬ（イ）をインターネットに送信し、インターネットから受信するウエブページを画像出力する手段とを備えた
カラオケ装置。
【発明の詳細な説明】
【技術分野】
【０００１】
この発明は、カラオケ装置の娯楽性を向上させる技術改良に関し、とくに、各人が希望曲をリクエストして順番が来たら歌うというグループでカラオケ利用する場合のごく普通の流れの中で、予約した希望曲の順番が来るまでの時間帯を利用して、インターネット上の各種のウエブページのＵＲＬを予約曲にリンク登録させ、予約曲が演奏される際に登録したＵＲＬに該当のウエブページをインターネットから取得して出力するものである。
【背景技術】
【０００２】
出願人は、マルチメディア情報を取り扱うパソコン技術やインターネット技術をカラオケに積極的に採り入れて、以下に例示するように、カラオケの娯楽性を高めることを目的として数々の発明を生み出してきた。
【０００３】
《特許第３４２２６７２号》
利用者が発信したメッセージをある楽曲に関連付けして通信カラオケホスト装置に預けておく。不特定の通信カラオケ演奏端末において、ある楽曲が演奏される際、その楽曲に関連付けされたメッセージがホスト装置から演奏端末に届けられて出力される。
【０００４】
《特許第３４３２１３２号》
リモコンから希望曲を予約する際、リモコン付属のカメラで自分を撮影して予約操作をする。撮影された自分のポートレート画像データが希望曲とともにカラオケ装置に転送されて予約される。希望曲が演奏される際、ポートレートが表示される。
【０００５】
《特許第３４４７２１１号》
アーティストや音楽出版社などが制作した楽曲関連メッセージが開封条件とともに通信カラオケホスト装置に格納されている。不特定の通信カラオケ演奏端末で上記の楽曲が演奏され、かつ、その利用状況が開封条件に合致する場合に、楽曲関連メッセージが演奏端末に届けられて出力される。
【０００６】
《特許第３４５２７８８号》
利用者が持ち込んだ写真フィルムをスキャナにセットしておく。希望曲を予約する際にスキャナを動作させることを指示する。その希望曲が演奏される際、フィルム画像が読み取られてスライドショーのように表示される。
【０００７】
《特許第３４５３２４８号》
個人ＩＤに対応付けた顧客情報が通信カラオケホスト装置に格納されている。不特定の通信カラオケ演奏端末にて利用者の個人ＩＤが入力されると、該当する顧客情報がホスト装置からその演奏端末に転送され、その顧客情報に基づいてその利用者の個人的な情報をちりばめたメッセージが出力される。
【０００８】
《特許第３４６２０５９号》
ある通信カラオケ演奏端末で顧客が作成したデータファイルを受取人ＩＤとともに通信カラオケホスト装置に保管してもらう。受取人ＩＤに該当する利用者が不特定の通信カラオケ演奏端末を利用する際、自分のＩＤを入力すると、該当するデータファイルがホスト装置から当該端末に転送されてきて出力される。
【０００９】
《特許第３５４４９３８号》
通信カラオケホスト装置が、各カラオケ演奏端末に時限付きのメールアドレスを割り当てて、その端末をメール端末として動作可能とする。各カラオケ演奏端末では自分に割り当てられたメールアドレスを利用者に告知する。このメールアドレスを使って、カラオケ利用中に外部の人とメールをやり取りできる。
【００１０】
《特許第３５７３４２１号》
チャットサーバーと多数のカラオケコンピュータが通信網で接続される。チャットサーバーは、楽曲と関連付けされたチャットルームを多数運営している。カラオケコンピュータにて楽曲を特定すると、該当するチャットルームへの参加が促され、利用者はチャットに参加可能となる。
【００１１】
《特許第３５８７７９５号》
楽曲番号により希望曲をリクエストする選曲予約装置が、インターネット接続可能なブラウザ装置でもある。ブラウザモードで楽曲番号を指定すると、楽曲番号に対応付けされて記憶されているＵＲＬにアクセスし、楽曲に関連したＷｅｂページが表示される。
【発明の開示】
【００１２】
この発明に係るカラオケ装置は、分説すると、つぎの事項（１）〜（４）により特定されるものである。 
（１）演奏予約の待ち行列に登録された曲識別子に従って演奏予約曲を順番に演奏するカラオケ装置であること
（２）所定の利用者入力を受け付けた際、待ち行列に登録された演奏予約曲を一覧表示する手段を備えること
（３）一覧表示された演奏予約曲の中から演奏予約曲（ア）を特定するとともにＵＲＬ（イ）を特定する利用者入力を受け付けた際、待ち行列中の演奏予約曲（ア）の曲識別子にＵＲＬ（イ）を対応付けして登録する手段を備えること
（４）待ち行列に従って演奏予約曲（ア）を演奏する際、待ち行列中の演奏予約曲（ア）の曲識別子に対応づけされたＵＲＬ（イ）をインターネットに送信し、インターネットから受信するウエブページを画像出力する手段を備えること
【００１３】
この発明によれば、インターネットのＵＲＬを楽曲にリンクさせて登録することができる。たとえば、好きなアーティストのホームページや、他メンバと共有したいような興味深い情報が掲載されたサイトなどを、指定曲に合わせて表示させることができる。自分がリクエストした楽曲を歌うときに、自分のお気に入りのウエブページを他のメンバーに見てもらうことができるので、選曲や歌唱以外に、どんな曲に合わせてどんなウエブページを表示させるかを画策する楽しみが創出される。またカラオケを楽しんでいるメンバーには、いつ何が表示されるかわからないという歌唱以外の楽しみが創出される。
【００１４】
しかも、この楽しみを提供する機能が、希望曲を選出して予約し順番が来たら歌うという、カラオケの通常の利用形態をまったく損なうことなく、予約曲の一覧画面から任意のＵＲＬを予約曲にリンク登録する操作によって使いこなすことができる。つまり、通常のカラオケ利用の流れを損なうことがない。また、予約曲に順番がまわってくるまでの時間帯に、歌っていない人があわてることなくリンク登録の操作を行うことができる。
【図面の簡単な説明】
【００１５】
【図１】本実施例に係るカラオケ装置を含むネットワーク構成を例示している。
【図２】本実施例に係るカラオケ演奏端末のハードウェア構成を例示している。
【図３】本実施例に係るカラオケ選曲装置のハードウェア構成を例示している。
【図４】本実施例に係る待ち行列の論理構成を例示している。
【図５】同上カラオケ選曲装置のトップ画面を例示している。
【図６】本実施例に係る演奏予約曲リスト画面を例示している。
【図７】本実施例に係る付加情報（メッセージ）登録のための画面を例示している。
【実施例】
【００１６】
＝＝＝カラオケ装置の基本構成＝＝＝
図１に本実施例におけるカラオケ装置を含むネットワーク構成を例示している。本実施例のカラオケ装置は、周知の通信カラオケシステムの演奏端末１０と、当該演奏端末を操作するためのカラオケ選曲装置２０で構成される。複数の客室を備えたカラオケ店舗にはＬＡＮ５０が敷設され、ＬＡＮ５０を介して各客室の演奏端末１０と同室内のカラオケ選曲装置２０が通信する。店舗のＬＡＮはインターネットやインターネットを利用したＶＰＮに接続され、演奏端末１０はＶＰＮを介して接続されたカラオケ事業者のカラオケサーバーからカラオケ楽曲の伴奏音楽の起源となるカラオケデータの配信を受ける。
【００１７】
本実施例において、カラオケサーバーは、会員登録されている利用者を、各会員用のＩＣカードに固有のＩＣカード番号により識別管理し、当該ＩＣカード番号に会員の個人情報やカラオケ利用にかかわる履歴情報を対応付けして管理する会員管理コンピュータとしての機能も備えている。
【００１８】
＝＝＝演奏端末１０の基本構成＝＝＝
演奏端末１０は、汎用パソコンの応用装置である。図２にそのブロック構成を例示しているように、中央制御部１１が全体を統括する。ハードディスク装置１２には、メインコンピュータのプログラムのほか、カラオケデータベース、映像データベースなどの各種情報を格納している。操作／表示パネル部１３は、利用者により各種の情報が入力可能であるとともに、利用者に向けて各種の情報を表示可能である。通信処理部１４は、通信回線を介して外部のカラオケサーバーや事業者運営の各種サーバーと通信する。また、ユーザインタフェースの１つとしてカラオケ選曲装置２０を付帯し、ＬＡＮ５０を介して通信可能に構成されている。
【００１９】
カラオケ利用者が、操作／表示パネル１３や、カラオケ選曲装置２０を用いて指定したリクエスト曲について、演奏端末１０はカラオケデータベースから該当の楽曲のカラオケデータを取り出して演奏処理部１５に受け渡す。
【００２０】
各曲のカラオケデータは、楽曲ＩＤとＭＩＤＩ演奏データと録音データと歌詞字幕データと背景映像指定データとを組織化したデータ集合である。ＭＩＤＩ演奏データは、演奏すべき各音のピッチや長さ、演奏開始からのタイミングなどの情報を付帯する。このタイミング情報に適宜な区切り符号を対応付けることにより、前奏区間・間奏区間・後奏区間など、適宜に演奏時系列上の区間を規定することもできる。
【００２１】
中央制御部１１の制御により、演奏処理部１５がカラオケデータに基づいて伴奏音楽の音楽信号を生成し、マイクロホンに入力された歌声信号とミキシングアンプ１６で混合・増幅してスピーカより音響出力する。
【００２２】
また映像処理部１７が、該当楽曲用の歌詞字幕データに基づいて、演奏の進行に同期して歌唱すべき箇所が色変わりする歌詞字幕をビデオメモリに順次ビットマップ展開するとともに、背景映像指定データに基づいて映像データベースから背景映像データを取り出して背景映像を復号させ、背景映像に歌詞字幕をスーパーインポーズ処理してディスプレイ１８に映像出力する。
【００２３】
＝＝＝カラオケ選曲装置２０＝＝＝
カラオケ選曲装置２０は、タブレットコンピュータの応用機器であり、図３に例示するように、ＣＰＵ・ＲＡＭ・ＲＯＭを含む中央制御部２１の他、ハードディスク装置２２・タッチパネルディスプレイ２３・通信インタフェース２４を備えている。
【００２４】
ハードディスク装置２２には、演奏予約などの操作対象となる同室内の演奏端末１０の所在情報（ＩＰアドレスなど）が記憶され、演奏端末１０とＬＡＮ５０を介して通信可能に構成される。
【００２５】
またハードディスク装置２２には、演奏端末１０に蓄積されているものと同様のカラオケ楽曲の目次情報が記憶された楽曲索引データベースを格納する。楽曲索引データベースは、曲名・アーティスト名・楽曲ジャンルなどの目次情報を、楽曲ＩＤに対応付けして集約したものである。
【００２６】
中央制御部２１は、ハードディスク装置２２に格納されているプログラムにしたがって動作し、タッチパネルディスプレイ２３によって対話形式のユーザインタフェース処理を実行して利用者と各種の情報交換を行うことで、電子目次本などと呼ばれる楽曲検索機能を利用者に提供する。この機能により、楽曲索引データベースから利用者の希望する楽曲の目次情報を検索して提示する。利用者は、曲名検索・歌手名検索・新譜検索・デュエット曲検索・あのころ検索などの周知のさまざまな検索モードにより選曲を行える。
【００２７】
またこのカラオケ選曲装置２０は各利用者がログインして利用することができる。ログインしようとする利用者は、利用に先立って氏名・連絡先・ニックネーム・顔写真などどの会員情報を事業者に対して登録し、会員用ＩＣカードを付与されている。利用時には所定の操作により所持する会員ＩＣカードのＩＣカード番号を入力すると、中央制御部２１は通信インタフェース２４を介してカラオケサーバーから該当の会員情報を取り寄せてログイン処理を行う。ログインした会員の操作入力により生成された各種コマンドには、メンバ識別子としてＩＣカード番号を付帯する。
【００２８】
会員用ＩＣカードを所持しない客も、その場で電話番号やフルネームやニックネームなどをメンバ識別子として登録してログインできるように構成するとよい。
【００２９】
中央制御部２１は、選曲された楽曲を演奏予約する旨の利用者の指示入力を受け付けると、その楽曲の楽曲ＩＤを含む演奏予約電文を生成し、（ログインしている場合にはメンバ識別子とともに）演奏端末１０に転送する。
【００３０】
＝＝＝演奏予約の待ち行列＝＝＝
演奏端末１０は、カラオケ選曲装置２０から演奏予約対象の楽曲ＩＤを含んだ演奏予約電文を受け取ると、楽曲ＩＤを受け取った順に適宜な記憶部の待ち行列に登録することにより、演奏予約曲を管理している。本実施例では、図４に本実施例にかかる待ち行列のデータ論理構成を例示しているように、楽曲を演奏予約したメンバの識別子が演奏予約電文とともに送られてきた場合には、そのメンバ識別子が待ち行列中の当該楽曲に対応付けて登録される。また、後述する付加情報識別子も付帯される。
【００３１】
演奏を開始する際には、待ち行列から登録された順に楽曲ＩＤを取り出して、楽曲ＩＤに該当するカラオケデータをカラオケデータベースから取り出して、前述のように演奏処理部１５・映像処理部１７に引き渡す。
【００３２】
待ち行列の内容は、演奏予約曲リストとして適時に利用客に提示可能である。たとえば演奏の曲間に演奏端末１０のディスプレイ１８に表示させる。また本実施例では、利用客の所定の操作入力によって、カラオケ選曲装置２０のディスプレイ２３に表示させることができる。たとえば、図５に例示したトップ画面で「予約曲リスト」ボタン３１を指示入力すると、演奏端末１０に待ち行列の内容を問い合わせる旨の電文を生成して送信し、演奏端末１０が管理する待ち行列の内容を取り寄せる。そして、図６に例示しているように、待ち行列に登録されている各楽曲ＩＤに基づいて楽曲索引データベースを参照し、待ち行列の登録順に、曲名とアーティスト名、予約メンバを一覧表示させる。
【００３３】
予約曲リストのいずれかを客が選択指定すると、図７に例示したように、その曲についての詳細情報が表示される。その詳細画面では、適宜な操作で当該曲の予約順を変更したりキャンセルしたりできるようになっている。また、画面中には「文字メッセージ」「手描きメッセージ」「画像」「ＵＲＬ」などの指示ボタンが表示されており、後述するように、各種付加情報を指定曲の演奏時に表示させるように仕込んでおく機能を備えている。
【００３４】
＝＝＝文字メッセージ表示機能＝＝＝
本実施例のカラオケ装置は、付加情報として、歌唱者や他メンバへの文字メッセージを仕込んでおいて、指定曲の演奏時に表示させる機能を備える。利用客は、カラオケ選曲装置２０のディスプレイ２３に表示させた上記予約曲リスト（図６参照）の中から指定した予約曲の演奏時に、希望の付加情報を表示させるように設定することができる。たとえば予約曲リスト（図６参照）の中から選択指定された曲の詳細情報が表示された画面（図７参照）にて「文字メッセージ」ボタンを指示入力すると、タッチパネルに表示された文字パレットを用いるなどして、文字メッセージを入力できるように構成されている。カラオケ選曲装置２０は、入力された文字列に基づいて、メッセージ字幕データを生成する。
【００３５】
メッセージ字幕データは、メッセージ文字列とそのレイアウト情報と表示タイミング情報を含んで構成される。表示タイミング情報については、メッセージ入力画面にて利用客に「演奏前」「間奏中」「演奏後」などから選択させるなどして、利用客がメッセージを表示させる時期（区間）を指定できるようにしておくとよい。あるいは、レイアウトや表示タイミング情報は、たとえば歌詞字幕の出ない位置や演奏区間など、各曲についてあらかじめ規定されたものを適用するように構成してもよい（その場合にはメッセージ字幕データにレイアウト情報や表示タイミング情報を含めない構成にし、後述の表示処理を行なう際に規定値を適用する構成も可能である。）。
【００３６】
またカラオケ選曲装置２０は、適宜なメッセージ識別子を生成し、メッセージ字幕データと対応付けして適宜な記憶部に記憶させる。また待ち行列中の選択曲および生成したメッセージ識別子を演奏端末１０に通知する。演奏端末１０は通知に基づいて、待ち行列中の該当曲にメッセージ識別子を付加して管理する。
【００３７】
なお、待ち行列にすでにメッセージ識別子が対応づけされている曲、つまり、他のメンバがすでにメッセージを仕込んだ曲があればその旨がわかるように、たとえば、図６に例示している予約曲リストにて、該当曲に適宜なマークを付加表示させるように構成してもよい。
【００３８】
演奏端末１０が演奏を開始する際には、待ち行列の先頭に登録されている楽曲ＩＤに基づいて、前述したように、その楽曲用のカラオケデータを取り出して演奏準備を行う。その際に、待ち行列に付加されている付加情報識別子（メッセージ識別子）をカラオケ選曲装置２０に通知する。カラオケ選曲装置２０は、通知されたメッセージ識別子に対応するメッセージデータを取り出して、演奏端末１０に転送する。
【００３９】
演奏端末１０は当該曲の演奏開始の直前や間奏区間、演奏直後、演奏中の歌詞字幕が出ていない区間などに、表示タイミング情報に基づいて所定のタイミングで、メッセージ字幕データに基づいてメッセージ字幕をビデオメモリにビットマップ展開し、メッセージ字幕映像をカラオケ背景映像にスーパーインポーズ処理してディスプレイ１８に映像出力させる。
【００４０】
＝＝＝手描きメッセージ表示機能＝＝＝
本カラオケ装置は、付加情報として、利用客の手描きの絵や文字を表示させる機能をも備えている。上記文字メッセージ表示機能と同様に、希望曲を指定して「手描きメッセージ」ボタンを指示入力すると、前述した文字メッセージの代わりに、表示させたい絵やメッセージを手書き入力できるように構成されている。この手描きメッセージデータは、上記文字メッセージの場合と同様に、表示タイミング情報も含んで構成される。
【００４１】
カラオケ選曲装置２０は、手描きメッセージが入力されると適宜なメッセージ識別子を生成し、入力された手描きメッセージデータと対応付けして適宜な記憶部に記憶させる。また待ち行列中の選択曲および生成したメッセージ識別子を演奏端末１０に通知する。演奏端末１０は通知に基づいて、待ち行列中の該当曲にメッセージ識別子を付加して管理する。
【００４２】
演奏端末１０は、前記文字メッセージ表示機能と同様に、待ち行列の先頭に登録されている楽曲ＩＤに対応する楽曲の演奏準備を行う際に、待ち行列に付加されているメッセージ識別子をカラオケ選曲装置２０に通知し、対応するメッセージデータを取り寄せる。
【００４３】
そして当該曲の演奏中にディスプレイ１８に、表示タイミング情報に基づく所定の区間で手描きメッセージを映像出力させる。たとえば前奏区間や間奏区間に表示させたり、適宜な区間でカラオケ背景映像のかわりに表示させたりする。
【００４４】
＝＝＝画像表示機能＝＝＝
本実施例のカラオケ装置は、上記メッセージ字幕や手描きメッセージとは別の付加情報として、別途作成された画像データを指定曲の演奏時に表示させる機能も備えている。歌唱者や演奏曲にまつわる画像、たとえば歌唱者本人が撮影されたことに気づいていないようなびっくり写真や、歌唱者や他メンバが見るのを楽しみにしていたイベントや旅行の写真や、歌唱者や他メンバに対するメッセージ性のある画像、歌詞に登場する物や場所に関する写真などである。静止画像のほか、音声データを含む動画映像でもよい。客が所持するデジタルカメラやデジカメ機能付きの携帯電話機などを用いてあらかじめ撮影したり編集したりした画像データを、一旦、適宜なサーバー装置などに預けておいて、カラオケ演奏時に適宜にダウンロードして表示させるものである。
【００４５】
たとえば、カラオケ選曲装置２０の通信インタフェース２４は、客所有の携帯電話機やデジタルカメラとの間で、ＵＳＢなどの有線通信やブルートゥースなどの無線通信などの適宜な方式でデータ通信可能に構成しておき、客は適時に希望のデータをカラオケ選曲装置２０を介してカラオケサーバーに転送する。店舗サーバーやその他の事業者運営のサーバー装置でもよい。また、利用者があらかじめ自宅のＰＣや携帯電話のブラウザ機能などを用いて、インターネットを介してサーバー装置に希望の画像データを預託できるように構成してもよい。あるいは、カラオケ選曲装置２０にデジタルカメラ機能を搭載し、それを用いて事前に撮影したデータを預託できるように構成してよい。またもちろん、これらの画像データをカラオケ選曲装置２０のメモリに記憶させるようにしてもよい。
【００４６】
いずれの場合にも、カラオケ装置を含むネットワーク内の適宜な装置の記憶部に画像データが預託された際に、付加情報識別子（データ識別子）が発行され、預託した利用客に通知される。
【００４７】
このようにしてあらかじめ登録した画像データを、利用者が楽曲の演奏にあわせて表示させようとする場合には、上記文字メッセージ表示機能と同様に予約曲リストの中から希望の曲を選択指定して、その指定曲の詳細画面（図７）中の「画像」ボタンを指示入力するなどの所定の操作を行なうと、預託されている画像データのデータ識別子を入力して楽曲とリンクさせることができるように構成される。
【００４８】
カラオケ選曲装置２０からデータ格納場所にアクセスして預託されている画像データの一覧をサムネイル形式で表示して、選択させるように構成してもよいし、曲を指定した際に希望のデジタル画像データを預託できるように構成してもよい。さらにその際には、上記メッセージデータの場合と同様に、表示タイミング情報も含めることができるように構成されている。
【００４９】
カラオケ選曲装置２０は、選択曲に対応づけてデータ識別子を演奏端末１０に通知する。演奏端末１０は、通知に基づいて待ち行列中の該当曲にデータ識別子を付加して管理する。
【００５０】
なお、付加情報は複数の画像データを含んだ構成とし、映像出力時に所定のタイミングで次々と切り替えて出力するように構成してもよい。つまり、付加情報を複数の画像データとそれらの切り替えのタイミング情報を含む構成にしてもよい。
【００５１】
あるいは、付加情報は動画データでもよい。またその動画データに音声データを含む構成でもよい。たとえば、特定のカラオケ楽曲にあわせて、間奏の間に音声が入るように編集されたビデオレターなどでもよい。つまり、客の所有するデジタルビデオカメラやパソコンなどで、事前に撮影され特定のカラオケ楽曲専用に演奏端末１０での映像音響出力が可能な構成に編集された動画データとする。
【００５２】
演奏端末１０が演奏を開始する際には、前記メッセージ表示機能と同様に、待ち行列の先頭に登録されている楽曲ＩＤに基づいて、前述したように、その楽曲用のカラオケデータを取り出して演奏準備を行う。その際に、待ち行列に付加されている付加情報識別子（データ識別子）に基づいて、対応する画像データを取り寄せる。
【００５３】
演奏端末１０は表示タイミング情報に基づいて当該曲の演奏中に、たとえばカラオケ背景映像のかわりに画像データを表示させる。付加情報が音声データを含む動画データである場合には、ディスプレイ１８に映像を再生出力するとともに、スピーカに音声を音響出力する。
【００５４】
＝＝＝ＵＲＬリンク＝＝＝
本実施例では、付加情報として、インターネットのＵＲＬを楽曲にリンクさせて登録することもできる。たとえば、好きなアーティストのホームページや、他メンバと共有したいような興味深い情報が掲載されたサイトなどを、指定曲に合わせて表示させることができる。
【００５５】
前記メッセージ表示機能等と同様に、指定曲の詳細画面（図７）中の「ＵＲＬ」ボタンを指示入力すると、リンクさせたいＵＲＬを指定入力できるように構成されている。上記例と同様に、表示タイミング情報もあわせて入力できるようになっている。ＵＲＬが指定入力されると、カラオケ選曲装置２０は適宜な付加情報識別子を生成してＵＲＬと対応付けして記憶管理するとともに、この識別子を演奏端末１０に通知する。入力されたＵＲＬを付加情報識別子として取り扱ってもよい。
【００５６】
演奏端末１０は、待ち行列に付加情報識別子を対応付けして管理し、待ち行列から取り出した楽曲の演奏準備の際には、識別子に基づいてＵＲＬを取り出す。そして、演奏中の所定の区間で、ＵＲＬに基づいてインターネットにアクセスしてその内容をディスプレイ１８に表示させる。表示タイミング情報に基づいて、たとえば前奏区間や間奏区間に表示させたり、適宜な区間でカラオケ背景映像のかわりに表示させたりする。
【００５７】
＝＝＝他の実施例＝＝＝
演奏端末１０に複数のディスプレイ１８を接続して、カラオケ映像を表示させるディスプレイ１８とは別に、本発明の付加情報を表示させるための専用ディスプレイを備えた構成にしてもよい。
【００５８】
また、カラオケ選曲装置２０のディスプレイ２３に表示させる構成にもできる。付加情報が音声データを含んだ動画データである場合に、カラオケ選曲装置２０は音声データを音響出力可能なスピーカを備えた構成とする。
【００５９】
付加情報の登録に関して、上記実施例のようにカラオケ選曲装置２０にて取り込んだ付加情報をカラオケ選曲装置２０で管理する構成にかえて、演奏端末１０が管理するように構成してもよい。カラオケ選曲装置２０が付加情報を受け付けた際に、これをただちに演奏端末１０に転送すればよい。
【００６０】
本発明に係るカラオケ装置は、演奏端末１０にカラオケ選曲装置２０を付帯しない構成でもよい。上記実施例の付加情報を登録するための処理は、演奏端末１０の操作／入力パネル１３やディスプレイ１８を介して行うように構成する。
【００６１】
付加情報には、その付加情報を指定した客のメンバ識別子を付帯するように構成してもよい。メッセージや映像などの付加情報を表示する際に、適宜にメンバ識別子に対応する利用者情報を表示させて、誰からのメッセージや映像であるかを通知することも可能となる。
【符号の説明】
【００６２】
１０…カラオケ装置、１８…ディスプレイ、２０…カラオケ選曲装置、２３…タッチパネルディスプレイ
【図１】
2010204681.tif 000003
【図２】
2010204681.tif 000004
【図３】
2010204681.tif 000005
【図４】
2010204681.tif 000006
【図５】
2010204681.tif 000007
【図６】
2010204681.tif 000008
【図７】
2010204681.tif 000009